(57)【要約】【課題】内部配線用の電線の配置が容易であり、且つリード部への良好な半田付けが可能な貫通端子台及びそれに用いる端子金具を提供する。【解決手段】貫通端子台１は、絶縁性の基台１０と、基台１０の上面と下面との間を貫通して配置される端子金具２０とを備え、端子金具２０が、基台１０下面より突出する、内部配線用の電線Ｃ１を半田付けするためのリード部２２を有するものであって、リード部２２は、先端から所定長さに亘って切欠２３が形成された切欠円筒状を有することを特徴とする。この構成によれば、リード部２２の内周側に内部配線用の電線Ｃ１の導体部Ｃ１ａを差し込み、この状態で外部に露出する電線導体部Ｃ１ａをリード部２２に対して容易に半田付けすることができる。【選択図】図１１
2014089932.tif 000002
【特許請求の範囲】
【請求項１】
絶縁性の基台（１０）と、前記基台（１０）の上面と下面との間を貫通して配置される端子金具（２０）とを備え、前記端子金具（２０）が、前記基台（１０）下面より突出する、内部配線用の電線（Ｃ１）を半田付けするためのリード部（２２）を有する貫通端子台（１）であって、
前記リード部（２２）は、先端から所定長さに亘って切欠（２３）が形成された切欠円筒状を有することを特徴とする貫通端子台。
【請求項２】
前記切欠（２３）において軸方向と交差する切欠端面（２３ｂ）は、軸方向に直交する平面（Ｐ）に対して傾斜していることを特徴とする請求項１に記載の貫通端子台。
【請求項３】
前記切欠端面（２３ｂ）の傾斜角度（α）は、４５度以上８５度未満であることを特徴とする請求項２に記載の貫通端子台。
【請求項４】
前記切欠端面（２３ｂ）の傾斜角度（α）は、５５度以上７５度未満であることを特徴とする請求項３に記載の貫通端子台。
【請求項５】
前記切欠（２３）の円筒全周に対する切欠角度（β）は、９０度以上１８０度未満であることを特徴とする請求項１乃至４のいずれか一項に記載の貫通端子台。
【請求項６】
前記端子金具（２０）は、前記基台（１０）上面側から端子ネジ（３０）が螺合されることを特徴とする請求項１乃至５のいずれか一項に記載の貫通端子台。
【請求項７】
請求項１乃至６のいずれか一項に記載の貫通端子台（１）に用いる端子金具。
【発明の詳細な説明】
【技術分野】
【０００１】
本発明は、貫通端子台及びそれに用いる端子金具に関する。
【背景技術】
【０００２】
従来、電気機器の筐体に取り付けられて外部配線と内部配線との接続等に使用される端子台として、絶縁性の基台の両面を貫通して導電金具を配置してなる各種の貫通端子台が提案され実用に供されている（例えば、特許文献１参照。）。
【０００３】
このような貫通端子台の中には、内部配線用の電線を半田付けにより導電金具に接合する半田付けタイプと呼ばれる形態のものが広く用いられている。例えば、基台下面に突出する端子金具のリード部が板状且つ側面視コ字状に形成され、電線の導体部をリード部のコ字状部分に巻きつけて半田付けを施すようにした貫通端子台が提案されている。また、端子金具のリード部が丸棒状をなすと共に、長手方向中央に所定長さの溝が設けられ、電線の導体部をリード部の溝部に巻きつけて半田付けを施すようにした貫通端子台が提案されている。
【先行技術文献】
【特許文献】
【０００４】
【特許文献１】特開２００８−２６９９８１号公報
【発明の概要】
【発明が解決しようとする課題】
【０００５】
しかしながら、上述した各従来例では、電線の導体部をリード部に巻きつける構成のため、基台に対して電線を垂直に配置できず、内部配線を屈曲させる等、配置に工夫を要する。また、リード部に巻きつけた電線を半田付けする際の作業が精度よく行われなかった場合は当該接合部に過大な膨らみが生じ、隣接するリード部との距離が短くなって絶縁性を確保できないという不良が発生するおそれがある。
【０００６】
本発明は、上述した問題に鑑みてなされたものであり、内部配線用の電線の配置が容易であり、且つリード部への良好な半田付けが可能な貫通端子台及びそれに用いる端子金具を提供することを目的とする。
【課題を解決するための手段】
【０００７】
上記目的を達成するためになされた請求項１に記載の発明は、絶縁性の基台（１０）と、前記基台（１０）の上面と下面との間を貫通して配置される端子金具（２０）とを備え、前記端子金具（２０）が内部配線用の電線（Ｃ１）を半田付けするための前記基台（１０）下面より突出するリード部（２２）を有する貫通端子台（１）であって、前記リード部（２２）は、先端から所定長さに亘って切欠（２３）が形成された切欠円筒状を有することを特徴とする。
【０００８】
この構成によれば、リード部（２２）は、先端から所定長さに亘って切欠（２３）が形成された切欠円筒状を有するため、リード部（２２）の内周側に内部配線用の電線（Ｃ１）の導体部（Ｃ１ａ）を差し込み、この状態で外部に露出する電線導体部（Ｃ１ａ）をリード部（２２）に対して容易に半田付けすることができる。すなわち、内部配線用の電線（Ｃ１）の配置が容易であり、且つリード部（２２）への良好な半田付けが可能であるという効果を奏する。より具体的には、リード部（２２）の内周に電線導体部（Ｃ１ａ）を差し込むことができるため、リード部（２２）に対して同軸的に電線を配置することができ、取り付けた対象の装置内で内部配線用の電線（Ｃ１）を屈曲させることなく配置可能である。また、リード部（２２）内周に差し込まれた電線導体部（Ｃ１ａ）が切欠（２３）において所定長さに亘って外部に露出しているため、電線導体部（Ｃ１ａ）に十分な量の半田を乗せることができ、温度を安定させて良好に半田付けを行うことができる。さらに、半田面を容易に目視確認することができるため、簡単に半田付けの検査を行うことができる。
【０００９】
請求項２に記載の発明は、前記切欠（２３）において軸方向と交差する切欠端面（２３ｂ）は、軸方向に直交する平面（Ｐ）に対して傾斜していることを特徴とする。
【００１０】
この構成によれば、切欠（２３）において軸方向と交差する切欠端面（２３ｂ）は、軸方向に直交する平面（Ｐ）に対して傾斜しており、リード部（２２）内周に差し込まれた電線導体部（Ｃ１ａ）に乗せた半田が切欠端面（２３ｂ）に広がるため、より良好に半田付けを行うことができる。
【００１１】
請求項３に記載の発明は、前記切欠端面（２３ｂ）の傾斜角度（α）は、４５度以上８５度未満であることを特徴とする。
【００１２】
請求項４に記載の発明は、前記切欠端面（２３ｂ）の傾斜角度（α）は、５５度以上７５度未満であることを特徴とする。
【００１３】
請求項５に記載の発明は、前記切欠（２３）の円筒全周に対する切欠角度（β）は、９０度以上１８０度未満であることを特徴とする。
【００１４】
この構成によれば、切欠（２３）の円筒全周に対する切欠角度（β）は、９０度以上１８０度未満であるので、切欠（２３）から露出する電線導体部（Ｃ１ａ）の表面積を確保することができると共に、リード部（２２）の切欠かれていない円弧状部分の内周面で電線導体部（Ｃ１ａ）を確実に支持して半田付けすることができる。
【００１５】
請求項６に記載の発明は、前記端子金具（２０）は、前記基台（１０）上面側から端子ネジ（３０）が螺合されることを特徴とする。
【００１６】
この構成によれば、外部配線用の電線を、端子ネジ（３０）を用いて容易かつ確実に端子金具（２０）に接続固定することができる。
【００１７】
請求項７に記載の発明は、請求項１乃至６のいずれか一項に記載の貫通端子台（１）に用いる端子金具である。
【００１８】
この構成によれば、端子金具を貫通端子台に用いた場合に、請求項１乃至６に記載の発明と同様の効果を奏する。
【図面の簡単な説明】
【００１９】
【図１】本発明の一実施形態の貫通端子台を示す正面図である。
【図２】本実施形態の貫通端子台を示す右側面図である。
【図３】本実施形態の貫通端子台を示す平面図である。
【図４】本実施形態の貫通端子台を示す図１のＩＶ−ＩＶ線断面図である。
【図５】本実施形態の貫通端子台を示す図３のＶ−Ｖ線断面図である。
【図６】本発明の一実施形態の端子金具を示す正面図である。
【図７】本実施形態の端子金具を示す右側面図である。
【図８】本実施形態の端子金具を示す底面図である。
【図９】本実施形態の貫通端子台において端子金具のリード部に内部配線用の電線を半田付けした状態を示す正面図である。
【図１０】本実施形態の貫通端子台において端子金具のリード部に内部配線用の電線を半田付けした状態を示す右側面図である。
【図１１】本実施形態の貫通端子台において端子金具のリード部に内部配線用の電線を半田付けした状態を示す図９のＸＩ−ＸＩ線断面図である。
【発明を実施するための形態】
【００２０】
以下、本発明の貫通端子台及びそれに用いる端子金具を具体化した一実施形態について図面を参照しつつ説明する。
【００２１】
貫通端子台１は、電気機器等の装置の筐体に取り付けられて外部配線と内部配線との中継接続等に使用される端子台であって、図１〜図５に示すように、絶縁性の基台１０と、基台１０に固定される極数分（本実施形態では６個）の端子金具２０と、端子金具２０と同数（６個）の端子ネジ３０とを備えて構成される。
【００２２】
基台１０は、例えばＰＢＴ（ポリブチレンテレフタレート）等の絶縁性樹脂材料を成型した横長ブロック状を呈する部材であって、図１乃至５に示すように、左右方向へ一列に極数分（６個）配設された台座部１１と、各台座部１１の両側に立設された極数分＋１個（７個）の隔壁部１５と、左右両端から側方へ突設された取付部１７とを有している。
【００２３】
台座部１１は、端子金具２０が１個ずつ装着される部分であり、上下面を貫通する貫通孔１１ａが設けられている。貫通孔１１ａは、端子金具２０の本体部２１が挿入されてこれを固定保持する。
【００２４】
隔壁部１５は、基台１０上面において各台座部１１を挟んで左右両側に立設された側面視略矩形状を呈する壁状部分である。
【００２５】
取付部１７は、基台１０を、図示しない取付けネジを介して装置の筐体等の取付け対象に取付けるために基台１０の左右両端に設けられた部分であり、上下に貫通するネジ挿通孔１７ａがそれぞれ形成されている。
【００２６】
端子金具２０は、導電性の良好な金属（銅や黄銅など）を加工して作製したものであり、図６〜図８に示すように、略円筒状の本体部２１と、本体部２１の軸方向一端から延設されたリード部２２とを有している。
【００２７】
本体部２１は、外部配線用の電線を接続するための端子ネジ３０が取り付けられる部分であって、その外周には、軸方向に沿って延びる多数の縦溝２１ａが形成されると共に、軸方向中央には外周を一周する環状溝２１ｂが縦溝２１ａよりも深く形成されている。端子金具２０は、本体部２１において基台１０にインサート成形又は圧入によって固定され、その際に縦溝２１ａが端子金具２０の基台１０に対する回り止めの役割を、環状溝２１ｂが端子金具２０の軸方向の移動を防止する抜け止めの役割をそれぞれ果たしている。本体部２１の内周には、端子ネジ３０が螺合する雌ネジ孔２１ｃが形成されている。本体部２１は、大部分が基台１０内部に埋設されるが、上部のみが基台１０上面より僅かに露出している。尚、本体部２１の下部はテーパ状に縮径してリード部２２につながっている。
【００２８】
リード部２２は、内部配線用の電線が半田付けされる部分であって、本体部２１よりも小径の円筒状に形成されると共に、先端から所定長さに亘って切欠２３が形成された切欠円筒状を有している。切欠２３は、軸方向と平行な一対の第一切欠端面２３ａと、軸方向と交差する第二切欠端面２３ｂとを有している。例えば、リード部２２の外径が４ｍｍの場合、第一切欠端面２３ａの軸方向長さが４ｍｍ、第二切欠端面２３ｂの軸方向長さは２ｍｍ程度とすることができる。
【００２９】
また、第二切欠端面２３ｂは、軸方向に直交する平面Ｐに対して傾斜しており、平面Ｐとのなす角である傾斜角度αは、４５度以上８５度未満であることが好ましく、５５度以上７５度未満であることがより好ましい。尚、図７に示す実施例では、α＝６０度である。
【００３０】
また、切欠２３は、円筒全周に対する切欠角度βが、９０度以上１８０度未満であることが好ましく、１１０度以上１６０度未満であることがより好ましい。換言すれば、リード部２２の切欠かれていない、一方側の第一切欠端面２３ａから切欠開口を挟む他方側の第一切欠端面２３ａに至る円弧状部分の角度は、（３６０−β）度で表されるため、当該円弧状部分の角度は１８０度以上２７０度未満であることが好ましく、２００度以上２５０度未満であることが好ましい。尚、図８に示す実施例では、切欠角度β＝１１５度であり、円弧状部分の角度は２４５度である。
【００３１】
次に、貫通端子台１における電線の接続、及び取り付け対象となる装置への取付け方法について、図９〜図１１を参照しつつ説明する。
【００３２】
まず、内部配線用の電線Ｃ１を、図示しない電気機器等の取り付け対象となる装置の筐体の開口部から外部へ引き出し、電線Ｃ１の絶縁被膜から露出する先端の導体部（ヨリ線）Ｃ１ａを端子金具２０のリード部２２内周に挿入する。次に、リード部２２の切欠２３から露出する導体部Ｃ１ａを覆い被せるように半田付けを施すことにより、導体部Ｃ１ａをリード部２２へ接合する。
【００３３】
次に、図示しない取付けネジの足部を取付部１７のネジ挿通孔１７ａに挿通して装置側の雌ネジ孔に螺合することにより、基台１０の装置筐体への取付け固定が完了する。
【００３４】
そして、このように貫通端子台１が装置に取り付けられた後、図示しない外部配線用の電線を、端子ネジ３０を用いて端子金具２０へ接続する。すなわち、端子ネジ３０の足部を、外部配線用電線の先端に取付けられた圧着端子の孔、及び座金３１の孔に挿通し、端子金具２０の雌ネジ孔２１ｃに差し込んで螺合することにより、外部配線用電線が端子金具２０に固定されると共に電気的接続が図られる。
【００３５】
以上詳述したことから明らかなように、本実施形態の貫通端子台１は、絶縁性の基台１０と、基台１０の上面と下面との間を貫通して配置される端子金具２０とを備え、端子金具２０が、基台１０下面より突出する、内部配線用の電線Ｃ１を半田付けするためのリード部２２を有するものであって、リード部２２は、先端から所定長さに亘って切欠２３が形成された切欠円筒状を有することを特徴とする。
【００３６】
この構成によれば、リード部２２の内周側に内部配線用の電線Ｃ１の導体部Ｃ１ａを差し込み、この状態で外部に露出する電線導体部Ｃ１ａをリード部２２に対して容易に半田付けすることができる。すなわち、内部配線用の電線Ｃ１の配置が容易であり、且つリード部２２への良好な半田付けが可能であるという効果を奏する。より具体的には、リード部２２の内周に電線導体部Ｃ１ａを差し込むことができるため、リード部２２に対して同軸的に電線Ｃ１を配置することができ、取り付け対象の装置内で内部配線用の電線Ｃ１を屈曲させることなく配置可能である。また、リード部２２内周に差し込まれた電線導体部Ｃ１ａが切欠２３において所定長さに亘って外部に露出しているため、電線導体部Ｃ１ａに十分な量の半田を乗せることができ、温度を安定させて良好に半田付けを行うことができる。さらに、半田面を容易に目視確認することができるため、簡単に半田付けの検査を行うことができる。
【００３７】
また、切欠２３において軸方向と交差する切欠端面２３ｂは、軸方向に直交する平面に対して傾斜していることを特徴とする。
【００３８】
この構成によれば、リード部２２内周に差し込まれた電線導体部Ｃ１ａに乗せた半田が切欠端面２３ｂに広がるため、より良好に半田付けを行うことができる。
【００３９】
尚、切欠端面２３ｂの傾斜角度αは、４５度以上８５度未満であることが好ましく、５５度以上７５度未満であることがより好ましい。
【００４０】
また、切欠２３の円筒全周に対する切欠角度βは、９０度以上１８０度未満であることを特徴とする。
【００４１】
この構成によれば、切欠２３から露出する電線導体部Ｃ１ａの表面積を確保することができると共に、リード部２２の切欠かれていない円弧状部分の内周面で電線導体部Ｃ１ａを確実に支持して半田付けすることができる。
【００４２】
また、端子金具２０は、基台１０上面側から端子ネジ３０が螺合されることを特徴とする。
【００４３】
この構成によれば、外部配線用の電線を、端子ネジ３０を用いて容易かつ確実に端子金具２０に接続固定することができる。
【００４４】
尚、本発明は、上述した実施の形態に限定されるものではなく、本発明の主旨を逸脱しない範囲で種々に変更を施すことが可能である。
【符号の説明】
【００４５】
１    貫通端子台
１０    基台
２０    端子金具
２２    リード部
２３    切欠
２３ｂ  第二切欠端面（軸方向と交差する切欠端面）
３０    端子ネジ
Ｃ１    内部配線用の電線
Ｐ      軸方向に直交する平面
α      傾斜角度
β      切欠角度
【図１】
2014089932.tif 000003
【図２】
2014089932.tif 000004
【図３】
2014089932.tif 000005
【図４】
2014089932.tif 000006
【図５】
2014089932.tif 000007
【図６】
2014089932.tif 000008
【図７】
2014089932.tif 000009
【図８】
2014089932.tif 000010
【図９】
2014089932.tif 000011
【図１０】
2014089932.tif 000012
【図１１】
2014089932.tif 000013